(57)【要約】【課題】従来の空気清浄器は、自動車の乗員に快適な車室内を提供するためには、常に空気清浄器を運転させておかなければならなかった。そこで、駐車時間を利用し、自動車の乗員に、簡便かつ短時間で快適な車室内を提供することを課題とする。【解決手段】駐車中に、殺菌手段１１、抗菌化手段１２もしくは脱臭手段１３のうち少なくとも１の手段の作動後に換気手段１４を作動させることを特徴とする車室内快適化システムを提供する。【選択図】図２
2006044389.tif 000002
【特許請求の範囲】
【請求項１】
自動車の車室内を殺菌するための殺菌手段、前記車室内を抗菌化するための抗菌化手段もしくは前記車室内を脱臭するための脱臭手段のうち少なくとも１つと、
前記車室内を換気するための換気手段と、
該各手段の作動を制御する制御手段とを備え、
駐車中に前記車室内の快適性の改善を行う車室内快適化システムであって、
前記制御手段は駐車中に前記殺菌手段、前記抗菌化手段もしくは前記脱臭手段のうち少なくとも１の手段の作動後に前記換気手段を作動させることを特徴とする車室内快適化システム。
【請求項２】
快適性を高める物質を供給する快適性物質供給手段をさらに設け、前記制御手段は前記換気手段の作動後に前記快適性物質供給手段を作動させることを特徴とする請求項１に記載の車室内快適化システム。
【請求項３】
前記殺菌手段は、殺菌剤の殺菌成分を前記車室内に供給するための殺菌成分供給機又は正イオンと負イオンを同時に発生させ前記車室内に供給するための正負イオン発生機の少なくとも一方を有する手段であることを特徴とする請求項１又は２に記載の車室内快適化システム。
【請求項４】
前記抗菌化手段は、抗菌剤の抗菌化成分を前記車室内に供給するための抗菌化成分供給機を有する手段であることを特徴とする請求項１、２又は３に記載の車室内快適化システム。
【請求項５】
前記脱臭手段は、脱臭剤の脱臭成分もしくは消臭剤の消臭成分の少なくとも一方を前記車室内に供給するための脱臭成分供給機を有する手段であることを特徴とする請求項１、２、３又は４に記載の車室内快適化システム。
【請求項６】
前記換気手段は、ファンによる強制換気によって、前記車室内を換気する手段であることを特徴とする請求項１、２、３、４又は５に記載の車室内快適化システム。
【請求項７】
前記快適性物質供給手段は、負イオンを発生させ前記車室内に供給するための負イオン発生機、酸素濃度を高めた空気を前記車室内に供給するための酸素富化空気供給機、芳香剤の芳香成分を前記車室内に供給するための芳香剤源又は前記車室内の湿度を快適に保つための水蒸気発生機のうち少なくとも１つを有する手段であることを特徴とする請求項１、２、３、４、５又は６に記載の車室内快適化システム。
【請求項８】
前記殺菌成分供給機、前記抗菌化成分供給機、前記正負イオン発生機、前記脱臭成分供給機、前記負イオン発生機、前記酸素富化空気供給機、前記芳香剤源又は前記水蒸気発生機の少なくとも１つを、自動車に車載した車両用空調機内のエバポレータの気流の下流側の空気流路に配置し、前記車両用空調機内のブロワ、外気吸気口、内気循環用吸気口及び吹出口を前記殺菌手段、前記抗菌化手段、前記脱臭手段又は前記快適性物質供給手段のブロワ、外気吸気口、内気循環用吸気口及び吹出口として共用することを特徴とする請求項１、２、３、４、５、６又は７に記載の車室内快適化システム。
【請求項９】
車室内の気温、湿度、臭気、酸素濃度又は気中浮遊菌数の少なくとも１の項目を測定する空気質検出手段をさらに設け、前記制御手段は、前記空気質検出手段の検出結果を基に駐車中に前記殺菌手段、前記抗菌化手段もしくは前記脱臭手段のうち少なくとも１の手段及び前記換気手段を作動させることを特徴とする請求項１、２、３、４、５、６、７又は８に記載の車室内快適化システム。
【請求項１０】
前記制御手段は、自動車の乗員が指定した時刻までに前記車室内の快適化を完了させることを特徴とする請求項１、２、３、４、５、６、７、８又は９に記載の車室内快適化システム。
【請求項１１】
前記殺菌手段、前記抗菌化手段、前記脱臭手段、前記換気手段又は前記快適性物質供給手段のうち少なくとも１つの手段の作動結果に関する情報を記憶する記憶手段と、自動車の乗員に前記情報を表示する表示手段とを備えることを特徴とする請求項１、２、３、４、５、６、７、８、９又は１０に記載の車室内快適化システム。
【発明の詳細な説明】
【技術分野】
【０００１】
本発明は、自動車に搭載される車室内を快適化するシステムに関するものである。より詳しくは、自動車の乗員が乗車する前に予め車室内を快適化することができるようにした車室内快適化システムに関するものである。
【背景技術】
【０００２】
自動車の快適性を向上させるため、従来から冷暖房等の空調に加えて、空気清浄器や芳香発生などが行われている。また、さらに快適性を高めるため、これらの機器を連動させて相乗効果を図る場合もある（例えば、特許文献１を参照。）。さらに、自動車の駐車中においても空気清浄器を作動させ、車室内の除塵脱臭を行う方法もある（例えば、特許文献２を参照。）。
【特許文献１】特開平２−４８２１７号広報
【特許文献２】特開２００４−１６９５号広報
【発明の開示】
【発明が解決しようとする課題】
【０００３】
しかし、従来の除塵脱臭の方法は、車室内の空気を空気清浄器に循環させ、異臭、悪臭の除去をそのフィルタのみに依存しており、空気清浄器の運転が停止すれば、車室内は再び異臭、悪臭に包まれてしまう。従って、自動車の乗員に常に快適な車室内とするために、常に空気清浄器を運転させておかなければならなかった。
【０００４】
本発明は、上記従来技術の問題を解決することを課題とする。より特定すれば、駐車時間を利用し、簡便かつ短時間で、自動車に乗り込む乗員に快適な車室内を提供することを課題とする。
【課題を解決するための手段】
【０００５】
上記課題を解決するために、本発明に係る車室内快適化システムは、自動車の車室内を殺菌するための殺菌手段、前記車室内を抗菌化するための抗菌化手段もしくは前記車室内を脱臭するための脱臭手段のうち少なくとも１つと、前記車室内を換気するための換気手段と、前記各手段の作動を制御する制御手段とを備え、駐車中に前記車室内の快適性の改善を行う車室内快適化システムであって、前記制御手段は駐車中に前記殺菌手段、前記抗菌化手段もしくは前記脱臭手段のうち少なくとも１の手段の作動後に前記換気手段を作動させることを特徴とする。本車室内快適化システムは、自動車の車室内の異臭、悪臭を除去するシステムである。制御手段は、まず、殺菌手段、抗菌化手段もしくは脱臭手段のうち少なくとも１つを作動させる。これにより、車室内に存在する物品の取り外しや大がかりな設備を必要とせず、車室内の異臭、悪臭の除去ができる。その後、制御手段は、換気手段を作動させ、外気を導入し、車室内に供給した前記各手段の成分を強制的に車室外に排出させ、車室内の空気の入れ替えを行う。これにより、本車室内快適化システムは、簡便かつ短時間で異臭、悪臭及び車室内に供給した各手段の成分の匂いがなく、アレルギー症状の原因となる花粉、ダニ等のアレルゲンを低減した車室内を自動車に乗り込む乗員に提供ができる。
【０００６】
本発明に係る車室内快適化システムでは、快適性を高める物質を供給する快適性物質供給手段をさらに設け、前記制御手段は前記換気手段の作動後に前記快適性物質供給手段を作動させることが望ましい。本車室内快適化システムによる前記換気手段作動後には、車室内の異臭、悪臭は除去されている。ここで、前記制御手段は前記快適性物質供給手段を作動させ、車室内に快適性を高める物質を供給する。これにより、前記換気手段作動後の車室内に比べ、よりよい快適な車室内を提供することができる。
【０００７】
上記発明において、前記殺菌手段は、殺菌剤の殺菌成分を前記車室内に供給するための殺菌成分供給機又は正イオンと負イオンを同時に発生させ前記車室内に供給するための正負イオン発生機の少なくとも一方を有する手段が含まれる。
【０００８】
殺菌成分供給機は、車室内に隈なく殺菌成分を行き渡らせることができ、車室内に存在する物品の取り外しや大がかりな殺菌設備を不要とし、簡便に車室内のシート、ハンドル、コンソール等の物品に付着した細菌の殺菌することができる。
【０００９】
正負イオン発生機は、空気中の細菌の殺菌に効果のある正イオンと負イオンを同時に車室内に隈なく行き渡らせることができ、大がかりな殺菌設備を不要とし、簡便に車室内の浮遊菌の殺菌及びアレルゲンの働きの抑制をすることができる。
【００１０】
上記発明において、前記抗菌化手段は、抗菌剤の抗菌化成分を前記車室内に供給するための抗菌化成分供給機を有する手段が含まれる。これにより、車室内に隈なく抗菌化成分を行き渡らせることができ、車室内に存在する物品の取り外しや大がかりな設備を不要とし、簡便に車室内のシート、ハンドル、コンソール等の物品を抗菌化できる。
【００１１】
上記発明において、前記脱臭手段は、脱臭剤の脱臭成分もしくは消臭剤の消臭成分の少なくとも一方を前記車室内に供給するための脱臭成分供給機を有する手段が含まれる。これにより、車室内に隈なく脱臭成分を行き渡らせることができ、車室内に存在するシート、ハンドル、コンソール等の物品の取り外しや大がかりな設備を不要とし、簡便に車室内の脱臭ができる。
【００１２】
上記発明において、前記換気手段は、ファンによる強制換気によって、前記車室内を換気する手段が含まれる。これにより、前記各供給手段により車室内に供給された成分の排出を強制的に行い、自然換気に比べ換気時間の短縮が図れ、車室内の快適化の時間を短縮することができる。
【００１３】
上記発明において、前記快適性物質供給手段は、負イオンを発生させ前記車室内に供給するための負イオン発生機、酸素濃度を高めた空気を前記車室内に供給するための酸素富化空気供給機、芳香剤の芳香成分を前記車室内に供給するための芳香剤源又は前記車室内の湿度を快適に保つための水蒸気発生機のうち少なくとも１つを有する手段が含まれる。自動車の乗員は、負イオンもしくは芳香成分の供給でリラックスでき、酸素濃度を高めた空気の供給でリフレッシュできる。また、水蒸気の供給で自動車の乗員の呼吸器の保護が図れる。
【００１４】
また、本発明に係る車室内快適化システムでは、前記殺菌成分供給機、前記抗菌化成分供給機、前記正負イオン発生機、前記脱臭成分供給機、前記負イオン発生機、前記酸素富化空気供給機、前記芳香剤源又は前記水蒸気発生機の少なくとも１つを、自動車に車載した車両用空調機内のエバポレータの気流の下流側の空気流路に配置し、前記車両用空調機内のブロワ、外気吸気口、内気循環用吸気口及び吹出口を前記殺菌手段、前記抗菌化手段、前記脱臭手段又は前記快適性物質供給手段のブロワ、外気吸気口、内気循環用吸気口及び吹出口として共用することが好ましい。該車両用空調機内のブロア、外気吸気口、内気循環用吸気口及び吹出口を殺菌手段、抗菌化手段、脱臭手段又は快適性物質供給手段のブロア、外気吸気口、内気循環用吸気口及び吹出口として共用することで、各手段のブロア、吸気口及び吹出口を新たに設ける必要がなくなり、車室内快適化システムの省スペース化、低コスト化及び省電力化が図れる。また、前記各手段を、自動車に車載した車両用空調機内のエバポレータの気流の下流側の空気流路に配置することで、各手段から供給される各成分は該車両用空調機内のエバポレータ、ブロア、フィルタ等の構成部材に吸着されずに車室内に直接供給することができる。
【００１５】
本発明に係る車室内快適化システムでは、車室内の気温、湿度、臭気、酸素濃度、気中塵埃量又は気中浮遊菌数の少なくとも１の項目を測定する空気質検出手段をさらに設け、前記制御手段は、前記空気質検出手段の検出結果を基に駐車中に前記殺菌手段、前記抗菌化手段もしくは前記脱臭手段のうち少なくとも１の手段及び前記換気手段を作動させることが望ましい。
【００１６】
本車室内快適化システムは、前記空気質検出手段の検出結果により、車室内の快適化に必要な前記各手段の作動時間を設定するため、車室内快適化の時間が短縮化され、かつ、省電力化が図れる。また、各手段の薬剤の必要以上の消耗を抑えることもできる。
【００１７】
上記発明において、前記制御手段は、自動車の乗員が指定した時刻までに前記車室内の快適化を完了させることが望ましい。前記制御手段は前記指定時刻から前記各手段の動作時間を逆算した時刻に前記各手段の作動をさせる。これにより、車室内快適化システムは自動車の乗員が指定した時刻までに車室内の快適化を完了しておくことができる。従って、自動車に乗員が乗車したときに、異臭、悪臭のない快適な車室内を提供できる。
【００１８】
上記発明において、前記殺菌手段、前記抗菌化手段、前記脱臭手段、前記換気手段又は前記快適性物質供給手段のうち少なくとも１つの手段の作動結果に関する情報を記憶する記憶手段と、自動車の乗員に前記情報を表示する表示手段とを備えることが望ましい。自動車の乗員は、前記表示手段に表示される前記情報により、車室内快適化システムが駐車中に行った車室内快適化の効果を視覚的に認知できる。
【発明の効果】
【００１９】
本発明によれば、駐車時間を利用し、自動車に乗り込む乗員に、簡便かつ短時間で快適な車室内を提供することができる。
【発明を実施するための最良の形態】
【００２０】
以下、本発明を実施するための最良の形態を示して詳細に説明するが、本発明はこれらの記載に限定して解釈されない。
【００２１】
図１（Ｉ）は本実施形態に係る車室内快適化システムの一形態を示す概略図である。車室内快適化システムは、殺菌手段１１、抗菌化手段１２又は脱臭手段１３の少なくとも１つ（以下、殺菌手段１１、抗菌化手段１２又は脱臭手段１３の少なくとも１つの手段を「Ｘ手段１７」とする。）、換気手段１４及び制御手段１５とを備える。さらに、車室内快適化システムは図１に示すように快適性物質供給手段１９を備えてもよい。
【００２２】
Ｘ手段１７、換気手段１４及び快適性物質供給手段１９は各手段の作動を制御する制御手段１５に接続される。
【００２３】
Ｘ手段１７に備えられる手段の組み合わせを図１（ＩＩ）に示す。図１（ＩＩ）の（ａ）はＸ手段１７が殺菌手段１１のみを備えた図である。殺菌手段１１はその手段の作動を制御する制御手段１５に接続される。図１（ＩＩ）の（ｂ）はＸ手段１７が抗菌化手段１２のみを備えた図である。抗菌化手段１２はその手段の作動を制御する制御手段１５に接続される。図１（ＩＩ）の（ｃ）はＸ手段１７が脱臭手段１３のみを備えた図である。脱臭手段１３はその手段の作動を制御する制御手段１５に接続される。図１（ＩＩ）の（ｄ）はＸ手段１７が殺菌手段１１と抗菌化手段１２を備えた図である。殺菌手段１１と抗菌化手段１２は各手段の作動を制御する制御手段１５に接続される。図１（ＩＩ）の（ｅ）はＸ手段１７が抗菌化手段１２と脱臭手段１３を備えた図である。抗菌化手段１２と脱臭手段１３は各手段の作動を制御する制御手段１５に接続される。図１（ＩＩ）の（ｆ）はＸ手段１７が殺菌手段１１と脱臭手段１３を備えた図である。殺菌手段１１と脱臭手段１３は各手段の作動を制御する制御手段１５に接続される。図１（ＩＩ）の（ｇ）はＸ手段１７が殺菌手段１１と抗菌化手段１２と脱臭手段１３とを備えた図である。殺菌手段１１と抗菌化手段１２と脱臭手段１３は各手段の作動を制御する制御手段１５に接続される。
【００２４】
前記各手段は図１（ａ）のようにそれぞれ離隔して設けてもよいが、ＨＶＡＣに搭載すればコンパクトにまとまる。図２はＨＶＡＣに車室内快適化システムを搭載した車両用空調機の一形態を示す概略図である。
【００２５】
車両用空調機１００は、空気流路を形成するケース２６に、外気と内気を切替えるインテークドア２１、外気吸気口２１ａ、内気循環用吸気口２１ｂ、ブロア２９、フィルタ２４、エバポレータ２５、ヒータコア２８、空気吹出口２３、エバポレータ２５の空気流れ２２の下流側の空気流路に配置された殺菌手段１１の殺菌成分供給機１１ａと正負イオン発生機１１ｂ、抗菌化手段１２の抗菌化成分供給機１２ａ、脱臭手段１３の脱臭成分供給機１３ａ及び快適性物質供給手段１９の快適性物質供給機１９ａを備える。さらに、車両用空調機１００は該各手段の作動を制御する制御手段１５を備える。
【００２６】
インテークドア２１は、車外から外気を取り入れるために車外に設置された外気吸気口２１ａと車室内の空気を循環させるために車室内に設置された内気循環用吸気口２１ｂを切替えるドアであり、これにより、内気若しくは外気若しくは内外気混合空気が空気流れ２２としてブロア２９に送られる。
【００２７】
ブロア２９は空気流路に空気流れ２２を発生させる手段である。ブロア回転数により空気流れ２２の風量を調整できる。
【００２８】
フィルタ２４は空気流れ２２を浄化するためのものである。フィルタの位置によって本発明は限定されない。
【００２９】
エバポレータ２５は空気流れ２２の空気を冷却除湿ための吸熱器である。
【００３０】
ヒータコア２８はエバポレータ２５を通過し除湿された冷却空気を加熱する加熱器である。
【００３１】
エアミックスドア２７は空気流れ２２をヒータコア２８に導入するか否かを切替えるドアである。
【００３２】
空気吹出口２３は空調された空気流れ２２を車室内に放出するためのものである。
【００３３】
殺菌手段１１は、例えば、車室内に異臭、悪臭の原因である細菌を死滅させる殺菌剤の殺菌成分を車室内に供給するための殺菌成分供給機１１ａ又は空気中の細菌の殺菌及びアレルゲンの働きの抑制に効果のある正イオンと負イオンを同時に発生させ車室内に供給するための正負イオン発生機１１ｂの少なくとも一方を有する手段である（以下、殺菌成分又は正イオンと負イオンを「殺菌成分等」とする。）。殺菌剤として、アルコールを含むものや市販される殺菌剤を使用することができる。殺菌成分供給機１１ａは、殺菌剤を気中に噴霧する噴霧器、殺菌剤を熱し気中に蒸散させる蒸散器、殺菌剤を昇華させ気中に供給する昇華器等の供給機である。
【００３４】
抗菌化手段１２は、例えば、車室内に存在するシート、ハンドル、コンソール等の物品上の細菌、カビの繁殖防止、ウイルスの活動の抑制又はアレルゲンの働きの抑制のうち少なくとも１つの効果がある抗菌剤の抗菌化成分を車室内に供給するための抗菌化成分供給機１２ａを有する手段である。抗菌剤として、ワサビ、プロポリス、緑茶カテキン等の抗菌化成分を含むものを使用することができる。抗菌化成分供給機１２ａは、抗菌剤を気中に噴霧する噴霧器、抗菌剤を熱し気中に蒸散させる蒸散器、抗菌剤を昇華させ気中に供給する昇華器等の供給機である。
【００３５】
脱臭手段１３は、例えば、車室内に存在するにおい成分を除去する脱臭成分もしくは消臭成分（以下、脱臭成分もしくは消臭成分を「脱臭成分等」とする）の少なくとも一方を車室内に供給するための脱臭成分供給機１３ａを有する手段である。脱臭成分等として、人工酵素又は消臭機能を有する化学物質を含むものを使用することができる。脱臭成分供給機１３ａは、脱臭剤を気中に噴霧する噴霧器、脱臭剤を熱し気中に蒸散させる蒸散器、脱臭剤を昇華させ気中に供給する昇華器等の供給機である。
【００３６】
換気手段１４は、インテークドア２１及びブロア２９を用いて、外気吸気口２１ａから外気を取り入れ、車室内の空気を効率的に排出し、車室内の空気の入れ替えを行う手段である。
【００３７】
制御手段１５は、殺菌手段１１、抗菌化手段１２、脱臭手段１３、換気手段１４又は快適性物質供給手段１９の作動を制御する手段である。
【００３８】
快適性物質供給手段１９は、例えば、自動車の乗員を快適にする成分（以下、自動車の乗員を快適にする成分を「快適性成分」とする。）を供給するための快適性物質供給機１９ａを有する手段である。快適性成分は、負イオン、酸素濃度を高めた空気、芳香成分又は水蒸気のうち少なくとも１つである。快適性物質供給機１９ａは、マイナスイオンを供給する負イオン発生機、酸素濃度を高める酸素富化空気供給機、芳香成分を供給する芳香剤源又は湿度を一定に保つ水蒸気発生機の少なくとも１つである。芳香剤源は、例えば、芳香剤を気中に噴霧する噴霧器、芳香剤を熱し気中に蒸散させる蒸散器又は芳香剤の昇華をシャッターの開閉によりオンオフ制御可能な昇華器である。水蒸気発生機は、例えば、水を気中に噴霧する噴霧器又は水を熱し気中に蒸散させる蒸散器である。
【００３９】
その他、快適性物質供給手段１９は、視力向上、眠気防止、ダイエット効果、美容効果のある機能性物質を供給してもよい。
【００４０】
前記各手段をＨＶＡＣに搭載することで、殺菌手段１１、抗菌化手段１２、脱臭手段１３及び快適性物質供給手段１９の吸気口は車両用空調機１００の内気循環用吸気口２１ｂと共用となる。さらに、殺菌手段１１、抗菌化手段１２、脱臭手段１３及び快適性物質供給手段１９の吹出口は車両用空調機１００の吹出口２３と共用となる。一方、換気手段１４の吸気口は車両用空調機１００の外気吸気口２１ａと共用なり、換気手段１４の吹出口は車両用空調機１００の吹出口２３と共用となる。すなわち、殺菌手段１１は車両用空調機１００の内気循環用吸気口２１ｂから車室内の空気を取り入れ、殺菌成分供給機１１ａ又は正負イオン発生機１１ｂから殺菌成分等を供給し、車両用空調機１００の吹出口２３から車室内に取り込んだ空気とともに車室内へ放出する。抗菌化手段１２は車両用空調機１００の内気循環用吸気口２１ｂから車室内の空気を取り入れ、抗菌化成分供給機１２ａから抗菌化成分を供給し、車両用空調機１００の吹出口２３から車室内に取り込んだ空気とともに車室内へ放出する。脱臭手段１３は車両用空調機１００の内気循環用吸気口２１ｂから車室内の空気を取り入れ、脱臭成分供給機１３ａから脱臭成分等を供給し、車両用空調機１００の吹出口２３から車室内に取り込んだ空気とともに車室内へ放出する。換気手段１４は車両用空調機１００の外気吸気口２１ａから車室内の空気を取り入れ、車両用空調機１００の吹出口２３から車室内へ放出する。
【００４１】
図２の車両用空調機１００では、図１（ＩＩ）の（ｇ）に相当する場合を図示したが、図１（ＩＩ）の（ａ）から（ｆ）に相当する場合としてもよい。
【００４２】
車室内快適化システムを搭載した車両用空調機１００は図２に示すように空気質検出手段３１を備えてもよい。
【００４３】
図３は車室内快適化システムが空気質検出手段３１を備えた図である。空気質検出手段３１は空気質の検出結果を制御手段１５へ転送するため制御手段１５に接続される。そして、制御手段１５は空気質の検出結果から車室内快適化に必要な手段へ作動の信号を発せられるように殺菌手段１１、抗菌化手段１２、脱臭手段１３、換気手段１４及び快適性物質供給手段１９に接続される。
【００４４】
空気質検出手段３１は車室内の空気の気温、湿度、臭気、酸素濃度、気中塵埃量又は気中浮遊菌数の少なくとも１の項目を測定する手段である。空気質検出手段３１は温度計、湿度計、匂いセンサー、酸素濃度計、気中塵埃センサー、気中粒子濃度センサー又は気中浮遊菌数測定機のうち測定に必要なセンサーを有する。空気質検出手段３１は車室内に設置されることが好ましい。
【００４５】
図３には、図１（ＩＩ）の（ｇ）に相当する車室内快適化システムの場合を図示したが、図１（ＩＩ）の（ａ）から（ｆ）に相当する場合としてもよい。
【００４６】
さらに、車室内快適化システムを搭載した車両用空調機１００は表示手段４１を備えてもよい。
【００４７】
図４は車室内快適化システムが表示手段４１を備えた図である。制御手段１５に接続された殺菌手段１１、抗菌化手段１２、脱臭手段１３、換気手段１４及び快適性物質供給手段１９の作動結果を表示するため、表示手段４１は制御手段１５に接続される。
【００４８】
さらに、制御手段１５は空気質検出手段３１からの情報を表示してもよい。
【００４９】
図４には、図１（ＩＩ）の（ｇ）に相当する車室内快適化システムの場合を図示したが、図１（ＩＩ）の（ａ）から（ｆ）に相当する場合としてもよい。
【００５０】
車両用空調機１００は以下のように動作する。
【００５１】
殺菌手段１１、抗菌化手段１２又は脱臭手段１３を作動させる場合、制御手段１５は、インテークドア２１を内気循環用吸気口２１ｂに切替えるとともに、ブロア２９を作動させることで空気流路に空気流れ２２を形成させる。すなわち、車室内空気が空気通路内に取り込まれ、その空気流れ２２がブロア２９に吸気される。続いてフィルタ２４及びエバポレータ２５に向けて空気流れ２２がブロア２９によって吐出され、浄化され熱交換された空気流れ２２がミックスドア２７の切替えによって、空気流れ２２ａ又は空気流れ２２ｂとなる。空気流れ２２ａは冷房運転時の空気流れである。一方、空気流れ２２ｂは、ヒータコア２８によって加熱される。空気流れ２２ａと空気流れ２２ｂはダクト内で混合された後、吹出口２３から車室内へ供給され、車室内の空気はエアコンユニットと車室内を循環する。
【００５２】
換気手段１４を作動させる場合、制御手段１５は、インテークドア２１を外気吸気口２１ａに切替えるとともに、ブロア２９を作動させることで空気流路に空気流れ２２を形成させる。すなわち、車外の空気が空気通路内に取り込まれ、その空気流れ２２がブロア２９に吸気される。続いてフィルタ２４及びエバポレータ２５に向けて空気流れ２２がブロア２９によって吐出され、浄化され熱交換された空気流れ２２がミックスドア２７の切替えによって、空気流れ２２ａ又は空気流れ２２ｂとなる。空気流れ２２ａは冷房運転時の空気流れである。一方、空気流れ２２ｂは、ヒータコア２８によって加熱される。空気流れ２２ａと空気流れ２２ｂはダクト内で混合された後、吹出口２３から車室内へ供給され、車室内の換気を行う。
【００５３】
次に車室内快適化システムを搭載した車両用空調機１００の動作について説明する。
図５は車室内快適化システムを搭載した車両用空調機１００のＸ手段１７と換気手段１４の作動手順を示した図である。
【００５４】
Ｘ手段１７は前述のように殺菌手段１１、抗菌化手段１２又は脱臭手段１３の少なくとも１つであるため、車室内快適化システムを搭載した車両用空調機１００の作動手順は図５（ａ）から図５（ｇ）までの７通りとなる。
【００５５】
車室内快適化システムを搭載した車両用空調機１００は駐車中に車室内を快適化するため、自動車のイグニッションキーがオフ状態であっても、殺菌手段１１、抗菌化手段１２、脱臭手段１３、換気手段１４及び制御手段１５への電力を供給させておき、前記各手段の作動を可能とする。電力の供給は自動車に車載されたバッテリ（不図示）あるいはサブバッテリ（不図示）でもよく、自動車の外部、例えば家庭用電源（不図示）としてもよい。
【００５６】
車室内快適化システムを搭載した車両用空調機１００の動作について図５（ａ）の場合を図２を参照して説明する。
【００５７】
車室内快適化システムを搭載した車両用空調機１００において、制御手段１５は、まず、インテークドア２１を内気循環用吸気口２１ｂ（ＲＥＣモード）に切替え、ブロア２９を作動させ、空気流れ２２を形成する。それとともに、制御手段１５はＸ手段１７である殺菌手段１１を作動させ、殺菌手段１１の殺菌成分供給機１１ａより殺菌成分又は正負イオン発生機１１ｂより正イオンと負イオンを放出させる。これら殺菌成分等は、空気流れ２２とともに吹出口２３から車室内に供給されるため、フィルタ２４に吸着されずに車室内へ供給することができる。その後、制御手段１５はブロア２９及び殺菌手段１１の作動を停止させる。そして、制御手段１５は、車室内の異臭、悪臭の原因である細菌を死滅させるため、この状態を一定時間保つ（以下、一定時間を「処理時間」とする。）。
【００５８】
これにより、車室内に存在する物品の取り外しや大がかりな設備を必要とせず、簡便に車室内の殺菌することができる。
【００５９】
処理時間経過後、制御手段１５はインテークドア２１を外気吸気口２１ａ（ＦＲＥＳＨモード）に切替え、ブロア２９を作動させ、空気流れ２２を形成する。この外気導入により、車室内に充満する殺菌成分等を強制的に車室外へ排出させることができる。従って、換気手段１４は自然換気より短時間で車室内の空気の入れ替えを行うことができる。また、夏場には車室内の気温を下げることもできる。
【００６０】
これにより、車室内快適化システムを搭載した車両用空調機１００は、自動車に乗り込む乗員に、簡便な方法でかつ短時間に、異臭、悪臭及び殺菌成分等の匂いのない殺菌済みの車室内を提供できる。
【００６１】
図５（ｂ）の抗菌化手段１２がＸ手段１７である場合も、図５（ｃ）の脱臭手段１３がＸ手段１７である場合も、車室内快適化システムを搭載した車両用空調機１００は同様の作動をする。
【００６２】
また、Ｘ手段１７が２以上の手段からなる図５（ｄ）から（ｇ）の場合、Ｘ手段１７を構成するいずれの手段を同時に作動させても、逐次作動させてもよい。
【００６３】
図６に、Ｘ手段１７が殺菌手段１１と抗菌化手段１２と脱臭手段１３である場合の車室内快適化システムを搭載した車両用空調機１００の各手段の作動タイムチャートを示す。
【００６４】
図６（ａ）は殺菌手段１１と抗菌化手段１２と脱臭手段１３とが同時に作動する場合のタイムチャートである。
【００６５】
制御手段１５は、まず、殺菌手段１１と抗菌化手段１２と脱臭手段１３とを同時に作動させる。殺菌手段１１の殺菌成分供給機１１ａ又は正負イオン発生機１１ｂより殺菌成分等が、抗菌化手段１２の抗菌化成分供給機１２ａより抗菌化成分が、脱臭手段１３の脱臭成分供給機１３ａより脱臭成分等が、車室内に供給され、車室内は殺菌成分等、抗菌化成分、脱臭成分等で満たされる。その後、制御手段１５は殺菌手段１１と抗菌化手段１２と脱臭手段１３の作動を停止させる。なお、図６（ａ）では、殺菌手段１１と抗菌化手段１２と脱臭手段１３の作動時間は同じであるが、必要に応じて殺菌手段１１、抗菌化手段１２及び脱臭手段１３の作動時間を調節してもよい。そして、制御手段１５は、車室内に存在する物品に殺菌と抗菌化と脱臭とをするため、処理時間の間、この状態を保つ。
【００６６】
これにより、車室内に存在する物品の取り外しや大がかりな設備を必要とせず、簡便に車室内の殺菌、抗菌化及び脱臭をすることができる。
【００６７】
処理時間経過後、制御手段１５は換気手段１４を作動させる。換気手段１４は車室内に充満する殺菌成分等と抗菌化成分と脱臭成分等とを強制的に車室外へ排出させ、外気を取り入れる。従って、換気手段１４は自然換気より短時間に車室内の空気の入れ替えを行うことができる。
【００６８】
これにより、車室内快適化システムを搭載した車両用空調機１００は、自動車に乗り込む乗員に、簡便な方法でかつ短時間に、異臭、悪臭、殺菌成分等の匂い、抗菌化成分の匂い及び脱臭成分等の匂いが残らない車室内を提供できる。
【００６９】
制御手段１５は、図６（ｂ）のように殺菌手段１１、抗菌化手段１２及び脱臭手段１３を逐次作動させてもよい。また、制御手段１５は、図６（ｃ）のように殺菌手段１１、抗菌化手段１２及び脱臭手段１３のうちいずれか１の手段の作動時刻を、他の２の手段の作動時刻と別にしてもよい。
【００７０】
図７は、快適性物質供給手段１９を備えた車室内快適化システムを搭載した車両用空調機１００のＸ手段１７と換気手段１４と快適性物質供給手段１９の作動手順を示した図である。
【００７１】
駐車中に車室内を快適化するため、自動車のイグニッションキーがオフ状態であっても、快適性物質供給手段１９にも電力を供給させておき、作動を可能とする。電力の供給は自動車に車載されたバッテリ（不図示）あるいはサブバッテリ（不図示）でもよく、自動車の外部、例えば家庭用電源（不図示）としてもよい。
【００７２】
図７の車両用空調機１００の作動について図２を参照しながら説明する。車両用空調機１００は、Ｘ手段１７を作動させ、換気手段１４を作動させた後に、快適性物質供給手段１９を作動させる。
【００７３】
すなわち、制御手段１５は、インテークドア２１を内気循環用吸気口２１ｂ（ＲＥＣモード）に切替え、ブロア２９を作動させ、空気流れ２２を形成する。それとともに、制御手段１５はＸ手段１７である前記各手段を作動させ、殺菌成分等、抗菌化成分又は脱臭成分等の少なくとも一つを放出させる。これらの成分等は、空気流れ２２とともに吹出口２３から車室内に供給されるため、フィルタ２４に吸着されずに車室内へ供給することができる。その後、制御手段１５はブロア２９及びＸ手段１７の作動を停止させ、処理時間の間、この状態を保つ。
【００７４】
処理時間経過後、制御手段１５はインテークドア２１を外気吸気口２１ａ（ＦＲＥＳＨモード）に切替え、ブロア２９を作動させ、空気流れ２２を形成する。この外気導入により、車室内に充満する前記各手段の成分を強制的に車室外へ排出させることができる。
【００７５】
これにより、車室内は、異臭、悪臭及び前記各手段の成分の匂いがない状態となる。
【００７６】
換気手段１４の終了後、制御手段１５は、インテークドア２１を内気循環用吸気口２１ｂ（ＲＥＣモード）に切替え、ブロア２９を作動させ、空気流れ２２を形成する。それとともに、制御手段１５は快適化物質供給手段１９を作動させ、快適性物質供給機１９ａより快適性成分を放出させる。快適性成分は、空気流れ２２とともに吹出口２３から車室内に供給されるため、フィルタ２４に吸着されずに車室内へ供給することができる。その後、制御手段１５はブロア２９及び快適性物質供給手段１９の作動を停止させる。
【００７７】
これにより、車室内を快適性成分で満たすことができ、自動車に乗り込む乗員に快適性を高めた車室内を提供することができる。
【００７８】
なお、快適性物質供給手段１９は快適な車室内を維持するため、自動車を運転中にも作動させてもよい。
【００７９】
図８は、快適性物質供給手段１９を備えた車室内快適化システムを搭載した車両用空調機１００の殺菌手段１１と抗菌化手段１２と脱臭手段１３とが同時に作動する場合のタイムチャートである。図８に従い車室内快適化システムを搭載した車両用空調機１００の作動手順を説明する。
【００８０】
制御手段１５は、まず、殺菌手段１１と抗菌化手段１２と脱臭手段１３とを同時に作動させる。殺菌手段１１から殺菌成分等が、抗菌化手段１２から抗菌化成分が、脱臭手段１３から脱臭成分等が、車室内に供給され、車室内は殺菌成分等、抗菌化成分、脱臭成分等で満たされる。その後、制御手段１５は殺菌手段１１と抗菌化手段１２と脱臭手段１３の作動を停止させる。なお、図８では、殺菌手段１１と抗菌化手段１２と脱臭手段１３の作動時間は同じであるが、必要に応じて殺菌手段１１、抗菌化手段１２及び脱臭手段１３の作動時間を調節してもよい。そして、制御手段１５は、車室内を殺菌と抗菌化と脱臭とをするため、処理時間の間、この状態を保つ。処理時間経過後、制御手段１５は換気手段１４を作動させる。制御手段１５は、車室内に充満する殺菌成分等と抗菌化成分と脱臭成分等とを強制的に車室外へ排出させ、外気を取り入れた後、換気手段１４の作動を停止させる。その後、制御手段１５は快適性物質供給手段１９を一定時間作動させ、車室内に快適性物質を供給させる。
【００８１】
これにより、車室内快適化システムを搭載した車両用空調機１００は、自動車に乗り込む乗員に、殺菌、抗菌化又は脱臭された車室内より快適性を高めた車室内を提供できる。
【００８２】
車室内快適化システムを搭載した車両用空調機１００は図９のフローチャートに示す如くに作動するようになっている。
【００８３】
まず、自動車の乗員は次回乗車する時刻を予め車室内快適化システムを搭載した車両用空調機１００に入力しておく。入力方法は車室内快適化システムを搭載した車両用空調機１００に直接入力する他、携帯電話など外部の信号によっても入力できるようにしてもよい（ステップＳ１）。その後、車室内快適化システムを搭載した車両用空調機１００は空気質検出手段３１により空気質を測定し、制御手段１５へ報告する（ステップＳ２）。その報告を受けた制御手段１５は、Ｘ手段１７の車室内の快適化に必要な処理時間を決定し、車室内快適化終了までに必要な時間を計算する（ステップＳ３）。
【００８４】
これにより、作動手段の処理時間を最適化し、車室内快適化の時間が短縮されると共に、省電力と各手段の必要以上の薬剤消耗を抑えることができる。
【００８５】
入力された時刻と車室内快適化に必要な時間とから車室内快適化開始時刻Ｔを計算する（ステップＳ４）。車室内快適化開始時刻Ｔを過ぎれば、すなわち、現時刻ｔと車室内快適化開始時刻Ｔを比較し、ｔ＞Ｔとなれば、制御手段１５はＸ手段１７へ作動指示を出す（ステップＳ６）。制御手段１５は、Ｘ手段１７を作動させた後、Ｘ手段１７に対し作動終了指示を出す（ステップＳ７）。Ｘ手段１７の処理時間経過後、制御手段１５は換気手段１４を作動させ（ステップＳ８）、車室内の空気の入れ替えを行い、換気手段１４の作動を停止させる（ステップＳ９）。制御手段１５は快適性物質供給手段１９を作動させるか、車室内快適化システムを終了させるか判断する（ステップＳ１０）。なお、快適性物質を供給するか否かはステップＳ１の終了時刻の入力時に自動車の乗員が選択してもよい。快適性物質供給手段１９を作動させる場合、制御手段１５は快適性物質供給手段１９を作動させ（ステップＳ１１）、快適性物質を車室内に供給し、その後、快適性物質供給手段１９の作動を停止させる（ステップＳ１２）。
【００８６】
図１０はＸ手段１７が殺菌手段１１であり、快適性物質供給手段１９を備える車室内快適化システムを搭載した車両用空調機１００の表示手段４１の表示画面の一形態である。殺菌手段１１、換気手段１４及び快適性物質供給手段１９は制御手段１５に接続されており、その作動結果を制御手段１５に報告する。制御手段１５はその報告を内部に有するメモリに保存する。自動車の乗員が乗車し、イグニッションキーをオンにした後、制御手段１５は、表示手段４１に駐車中にメモリに保存された車室内快適化システムを搭載した車両用空調機１００の各手段の作動結果を表示させる。
【００８７】
図１０における表示手段１４の表示画面では、棒グラフが採用されており、棒の高さは前記各手段の作動能力を示している。
【００８８】
図１０の表示では車室内快適化システムを搭載した車両用空調機１００は以下のような作動をしたことを表示している。殺菌手段１１は１０：００から最大能力で作動し、殺菌成分等が車室内に供給開始され、１０：１５に作動能力を下げ、１０：２０に停止、１０：４０まで殺菌処理をしている。次に、換気手段１４が１０：４０から１１：００まで最大能力で作動し、車室内の殺菌成分等の排出をしている。その後、１１：０５より快適性物質供給手段１９が作動し、芳香成分と負イオンが車室内に供給され、１１：３０に快適性物質供給手段１９が停止し、車室内快適化を終了している。芳香成分は供給開始時には多く供給したが、徐々に供給量を下げている。一方、負イオンは１１：１５に最大供給をしたが、それ以外の時間はほぼ半分の能力で供給していたことを示している。
【００８９】
これにより、自動車の乗員は、駐車中における車室内快適化システムを搭載した車両用空調機１００の効果を、各手段の作動の経時結果を視覚的に理解することができる。
【産業上の利用可能性】
【００９０】
本発明は、密閉された空間の快適化にも適用可能である。
【図面の簡単な説明】
【００９１】
【図１】本発明の車室内快適化システム構成を示した図であり、（Ｉ）は車室内快適化システム構成の一形態を示した図であり、（ＩＩ）はＸ手段の組み合わせパターンを示した図である。
【図２】車両用空調機に搭載した本発明の車室内快適化システムの一形態を示す概略図である。
【図３】空気質検出手段を備えた本発明の車室内快適化システムの作動手順を示した概念図である。
【図４】表示手段を備えた本発明の車室内快適化システムの概念図である。
【図５】車室内快適化システムの作動手順を示した概念図である。
【図６】車室内快適化システムの各手段の作動タイミングチャートを示した図である。
【図７】快適化物質供給手段を備えた車室内快適化システムの作動手順を示した概念図である。
【図８】快適化物質供給手段を備えた車室内快適化システムの作動タイミングチャートを示した図である。
【図９】車室内快適化システムの作動フローチャートを示した図である。
【図１０】車室内快適化システムに備えられた表示手段の表示画面の一形態を示した図である。
【符号の説明】
【００９２】
１００  車両用空調機
１１    殺菌手段
１１ａ  殺菌成分供給機
１１ｂ  正負イオン発生機
１２    抗菌化手段
１２ａ  抗菌化成分供給機
１３    脱臭手段
１３ａ  脱臭成分供給機
１４    換気手段
１５    制御手段
１７    Ｘ手段
１９    快適性物質供給手段
１９ａ  快適性物質供給機
２１    インテークドア
２１ａ  外気吸気口
２１ｂ  内気吸気口
２２    空気流れ
２２ａ  冷房空気流れ
２２ｂ  暖房空気流れ
２３    吹出口
２４    フィルタ
２５    エバポレータ
２６    ケース
２７    エアミックスドア
２８    ヒータコア
２９    ブロア
３１    空気質検出手段
４１    表示手段
Ｔ      快適化システム作動時刻
ｔ      現時刻
【図１】
2006044389.tif 000003
【図２】
2006044389.tif 000004
【図３】
2006044389.tif 000005
【図４】
2006044389.tif 000006
【図５】
2006044389.tif 000007
【図６】
2006044389.tif 000008
【図７】
2006044389.tif 000009
【図８】
2006044389.tif 000010
【図９】
2006044389.tif 000011
【図１０】
2006044389.tif 000012